(57)【要約】      （修正有）【課題】長さと工具等への取付け角度を調節可能なグリップを提供する。【解決手段】グリップは、中空のグリップ管と、グリップ管に摺動可能に嵌挿された延長ロッド管２と、一端部がグリップ管に他端部が延長ロッド管にそれぞれ摺動可能に嵌挿されて偏芯軸部と偏芯軸部より半径方向に延びた突起部を含むストッパー部材と、ストッパー部材の偏芯軸部に嵌装され外側面に形成された切欠部をストッパー部材の突起部に係合させることによりストッパー部材と一体化され且つ外径がグリップ管の内径と符号するように形成された弾機性のＣ字環とを含む。且つボールジョイント５のボール状先端部を回動可能に挟持する一対のボール保持板８と、ボール保持板間の間隔を調整するようにボール保持板間に螺着された一対のボルト９と、一対のボール保持板の一方と一体の取付けブロック６を工具Ｔの本体に固定するボルト７を備える。【選択図】図６
0003205688.tif 000002
【実用新案登録請求の範囲】
【請求項１】
中空のグリップ管と、該グリップ管に摺動可能に嵌挿された延長ロッド管と、一端部が前記グリップ管に他端部が前記延長ロッド管にそれぞれ摺動可能に嵌挿されていて偏芯軸部と該偏芯軸部より半径方向に延びた突起部を含むストッパー部材と、該ストッパー部材の偏芯軸部に嵌装され外側面に形成された切欠部を該ストッパー部材の前記突起部に係合させることにより該ストッパー部材と一体化され且つ外径が前記グリップ管の内径と符号するように形成された弾機性のC字環とを含み、且つ前記延長ロッド管の先端部が嵌着可能で先端部分がボール状に成型されたボールジョイントと、該ボールジョイントのボール状先端部を回動可能に挟持し得る一対のボール保持板と、該一対のボール保持板間の間隔を調整し得るように該ボール保持板間に螺着された一対のボルトを含むブラケットと、前記一対のボール保持板の一方と一体で使用する工具や調理具等の本体に固定し得る取付けボルトとを備えたことを特徴とするグリップ。
【請求項２】
グリップ管部分の先端部が嵌着可能で先端部分がボール状に成型されたボールジョイントと、該ボールジョイントのボール状先端部を回動可能に挟持し得る一対のボール保持板と、該一対のボール保持板間の間隔を調整し得るように該ボール保持板間に螺着された一対のボルトを含むブラケットと、前記一対のボール保持板の一方と一体で使用する工具や調理具等の本体に固定し得る取付けボルトとを備えたことを特徴とするグリップ。
【請求項３】
前記ボールジョイントは、前記ブラケットに対し同一面内で略４０度の角度範囲で調節自在であり、且つ、上記取付けボルトに対し３６０度の角度範囲で調節自在であることを特徴とする請求項１または２に記載のグリップ。
【考案の詳細な説明】
【技術分野】
【０００１】
本考案は、工具や調理具等に付設されたグリップ部分、好ましくは、工具や調理具等の本体に対する取付け長さを調節し得るように構成したグリップ部分を、当該工具や調理具本体に対し相対回動可能のように構成したグリップに関する。
【背景技術】
【０００２】
一般に、ハンドグラインダー等の工具やフライパン等の調理具にはグリップが付設されていて、使用者はこのグリップを片手で握ってグラインダーやフライパン本体を意のままに取り扱うが、従来、これらのグリップは、グラインダーやフライパン等の本体に対して長さを調節し得るように構成したものは提案されている（特許文献１参照）が、グラインダーやフライパン等の本体に対する取付け角度は固定的であるのが普通である。
【先行技術文献】
【特許文献】
【０００３】
【特許文献１】特許第２９５２５６５号公報
【考案の概要】
【考案が解決しようとする課題】
【０００４】
ところで、通常この種グリップは、工具や調理具等の本体に対して、長さも取付け角度も共に調節自在であれば、実用上使用勝手が更に良くなるが、未だそのようなものは出現していない。
【０００５】
本考案は、係る実情に鑑みてなされたものであり、その目的とするところは、長さを所定の範囲内で自由に調節することができ、且つ工具やフライパン等の本体に対して取付け角度を使用現場で適宜調節することも、グリップに対して工具やフライパン本体等を回動操作することもできるようにしたグリップを提供することにある。
【課題を解決するための手段】
【０００６】
上記目的を達成するため、本考案によるグリップは、外側が弾性材等で被覆された中空のグリップ管と、該グリップ管に摺動可能に嵌挿された延長ロッド管と、一端部が前記グリップ管に他端部が前記延長ロッド管にそれぞれ摺動可能に嵌挿されていて偏芯軸部と該偏芯軸部より半径方向に延びた突起部を含むストッパー部材と、該ストッパー部材の偏芯軸部に嵌装され外側面に形成された切欠部を該ストッパー部材の前記突起部に係合させることにより該ストッパー部材と一体化され且つ外径が前記グリップ管の内径と符号するように形成された弾機性のC字環とを含んでいて、グリップの長さを調整するときは、先ずグリップ管に対して延長ロッド管を所望量出し入れし、次にその位置で延長ロッド管に対してグリップ管を回動することにより上記偏心軸の偏心量に対応した分だけ前記C字環を開かせてその外周面をグリップ管の内周面に圧接させることによりグリップ管と延長ロッド管とを一体化するように構成すると共に、前記延長ロッド管の先端部が嵌着可能で先端部分がボール状に成型されたボールジョイントと、該ボールジョイントのボール体を回動可能に挟持し得る一対のボール保持板と、該一対のボール保持板間の間隔を調整し得るように該ボール保持板間に螺着された一対のボルトを含むブラケットと、該ブラケットを工具本体や調理具本体等に固定する取付けボルトとを備えていて、グリップの長さの調節も、工具や調理具本体に対するグリップの取付け角度の調節も、可能のようにしたことを特徴とする。
【０００７】
また、本考案によれば、上記ボールジョイントは、上記ブラケットに対し同一面内で略４０度の角度範囲で調節自在であり、また、上記取付けボルトに対し３６０度の角度範囲で調節自在であることを特徴とする。
[考案の効果]
【０００８】
本考案に係るグリップを用いれば、使用現場において、極めて使い勝手の良い工具や調理具等を提供することが出来る。
【図面の簡単な説明】
【０００９】
【図１】本考案に係る伸縮自在のグリップ管部分の主軸に沿う断面図である。
【図２】ストッパー部分の拡大側面図である。
【図３】（a）は図２のIII-III線に沿う断面図、（b）は（a）の左側面図である
【図４】グリップ管部分を工具等の本体に連結するためのジョイント部の一実施例を示す斜視図である。
【図５】図４に示すジョイント部の側面図である。
【図６】ジョイント部を介してグリップ管部分と工具等の本体との連結状態の一例を示す側面図である。
【考案を実施するための形態】
【００１０】
以下、本考案の実施の態様を図示した実施例に基づき説明する。
図１乃至３において、１は外側が弾性材等より成る被覆管１aで被覆された中空のグリップ管、２はグリップ管１内に摺動可能に嵌挿されていて最大限に引き出された時グリップ管の端縁鍔部に後端縁鍔部が当接することにより引き出しが制限される延長管、３はグリップ管１内に摺動可能に嵌挿されると共に先端部が延長管２に嵌着されていて中間に偏芯軸部３aと該偏芯軸部３aより半径方向へ延びたキー部３bを有するストッパー、４は弾性を有する金属材料又は合成樹脂材料より成っていてストッパー３の偏芯軸部３aに嵌着され且つ側面切除部４がストッパー３のキー部３bに係合するように組み込まれていて半径方向へ開き得るように成形されたC字環であって、これらは本案グリップのグリップ管部分を構成する。
【００１１】
次に図４及び５において、５は延長管２の先端部が嵌合固着される取付け孔とボール状先端部５aを有するボールジョイント、６は本案グリップのグリップ管部分が取付けられるべき工具T等の適所にボルト７により固定され、内面にボールジョイント５のボール状先端部を包受し得る球面状凹部を形成したブラケット６aを有する取付けブロック、８はブラケット６aと対面して内面にボールジョイント５のボール状先端部５aを受ける球面状凹部を形成したブラケット、９はブラケット６aと８とに共通に螺合されていてブラケット６aにブラケット８を固定してボージョイント５のボール状先端部５aを挟持し得るようにする一対のボルトである。
【００１２】
本案グリップのグリップ管部分は上記のように構成されているから、例えば、その全長を長くしたい場合には、一方の手で被覆管１を握り、他方の手で延長管５を握って、被覆管１と延長管５を相対回転させ、ストッパー３の偏芯軸部３aの偏芯軸線A（図１参照）とC字環４の偏芯軸線B（図３（C）参照）とが一致すようにさせる（この一致位置は、グリップ管１に設けた適宜の指標と延長管２の外周に設けた適宜の指標とが一致する位置として表示するようにするのが好ましい。）。この状態で延長管５を被覆管１に対して出し入れして全長を調整すればよい。このようにしてグリップの全長を調整した状態で、被覆管１と延長管５を再び相対回転させれば、C字環４は偏芯軸部３aの偏芯量に対応した分だけ外方へ広がって、その外周面がグリップ管１の内周面に圧接し、グリップ管１と延長管２を一体化させる（図１参照）。このようにして、使用現場で簡単にグリップの長さを調節することができる。
【００１３】
また、再びグリップ管部分の全長を調節したい場合は、被覆管１と延長管５を上記の場合とは反対の方向へ所定量相対回動させればよい。即ち、この場合には、C字環４に対してストッパー３の偏芯軸部３aが上記の場合とは反対の方向へ回動する結果となるから、C字環４は偏芯軸部３aの偏芯量に対応する分だけ自己の弾性により復元して原形に戻り、被覆管１の内周面への圧接を解除する。従って、被覆管１と延長管５との相対移動が可能となり、グリップの全長を任意に調節することが可能となる。
【００１４】
次に、上記グリップ管部分を工具等の本体に取り付ける場合は、先ず、ボルト９を緩めてボールジョイント５のボール状先端部をブラケット６aとブラケット８とにより挟持させることにより、ボールジョイント５を取付けブロック６に取付けるが、その場合、ボールジョイント５を好ましくは４０度の角度範囲内で取付けブロック６に対し所望の角度位置へ動かし（図５矢印参照）、再びボルト９を十分に締め付けてボールジョイント５を取付けブロック６に固定する。次に、ボルト７により取付けブロック６を工具等の本体適所に、３６０度に亘る所望の角度位置で取り付ける（図４矢印参照）。そして、延長管２の先端部をボールジョイント５の取付け孔内に挿入して固定することにより、工具本体等へのグリップ管部分の取り付けを完了する。なお、ボールジョイント５を取付けブロック６に取り付ける際、ボルト９の締め付け度合いを適当に調節して、ボールジョイント５を取付けブロック６に対し可動的に取り付けることもできるが、そのようにすることにより、この種グリップの用途を更に拡大させることができる。
【００１５】
以上の説明で明らかなように、本案グリップは、長さも工具や調理具本体に対する取付け角度も、使用現場において使用者が自在に調整可能であるから、極めて使用勝手の良いグリップを提供することが出来る。
【００１６】
以上、実施例では本考案に係るグリップを工具に適用した場合を例に説明したが、本案グリップは、これに限定されるものではなく、調理具その他各種物品および装置等におけるグリップに適用することが出来ることは云うまでもなく、それらは総て本考案に属する。
【符号の説明】
【００１７】
１          グリップ管
１a         被覆管
２          延長ロッド管
３          ストッパー部材
３a         偏芯軸部
３b         突起部
４          C字環
４a         切除部
５          ボールジョイント
５a         ボール状先端部
６          取付けブロック
６a, ８     ブラケット
７, ９      ボルト
Ｔ          工具
【図１】
0003205688.tif 000003
【図２】
0003205688.tif 000004
【図３】
0003205688.tif 000005
【図４】
0003205688.tif 000006
【図５】
0003205688.tif 000007
【図６】
0003205688.tif 000008